【事件の表示】
　平成１０年特許願第１４４１７６号「電気装置」拒絶査定不服審判事件〔平成１０年１２月１５日出願公開、特開平１０−３２８１６４〕について、次のとおり審決する。
【結　論】
　本件審判の請求は、成り立たない。
【理　由】
第１　手続の経緯 
　
　本願は，平成１０年５月２６日（パリ条約による優先権主張日　平成９年５月２８日，ドイツ）の特許出願であって，平成２１年５月８日付けで拒絶査定がされ，これに対し，同年９月１４日に拒絶査定不服審判の請求がなされたものである。
　
　
第２　本願発明 
　
　本願の請求項１〜９に係る発明は，平成２０年２月１５日付けの手続補正で補正された特許請求の範囲の請求項１〜９に記載されたとおりのものと認められ，その請求項１は，次のとおりである。
　
「【請求項１】　電気装置であって，高周波シールドルーム（２）内に配設された少なくとも１つの，第１の構成要素（１４，１８，２０，２１）と，前記高周波シールドルーム（２）外に配設された少なくとも１つの，第２の構成要素（２４，３０）と，制御線路を介して構成要素（１４，１８，２０，２１，２４，３０）と接続されている制御計算機（４２）とを有している電気装置において，
制御線路は直列センサ／アクタバスとして構成されており，前記センサ／アクタバスは，電気バス線路を有する第１のバス部（４４，４４Ａ，４４Ｂ）と光バス線路を有する第２のバス部（５２）を有しており，前記光バス線路（５２）は，高周波シールドルーム（２）内に接続されていて，該高周波シールドルーム（２）内で，第１の構成要素（１４，１８，２０，２１）と接続されており，前記第１のバス部（４４Ａ）は，電気−光インターフェース（５４）を介して第２のバス部（５２）と接続されて
おり，前記第１のバス部（４４，４４Ａ，４４Ｂ）は，前記電気バス線路と共に，前記第２のバス部（５２）は，光バス線路と共に共通のバスである
ことを特徴とする電気装置。」（以下，「本願発明」という。）
　
　
第３　引用例およびその記載事項
　
　本願優先権主張日前に頒布され，原査定の拒絶の理由において引用された刊行物である特開平２−１１９８４６号公報（以下，「引用例１」という。）には，図面とともに，次の事項が記載されている。（以下において，下線は，当審にて付与したものである。）
　
（１−ア）
「３．発明の詳細な説明
［産業上の利用分野］
　
本発明は，磁気共鳴イメージング（“ＭＲＩ”）システムに係り，磁気共鳴イメージングシステム内でのディジタル制御情報の通信に関する
　
（１−イ）
「［従来の技術］
・・・
　よく知られているように，ノイズ源によりＭＲＩ処理を劣化させないようにするために，種々の予防措置（それらのうちのいくつかは，精巧で且つ高価である）が，一般にとられている。例えば，患者，勾配磁場コイル，およびＲＦ発生／検出回路要素は，すべて，一般に，信号検出回路要素を外部ノイズ源から絶縁する（且つ高強度のＲＦエネルギが室外に放射されないようにする）シールドされた『スクリーン室』内に配置される。
データ収集および制御コンピュータは，一般に，それらが発生する広いスペクトルのノイズが信号検出を干渉するのを防止するためこのスクリーン室の外に配置される
　しかしながら，事実上どんな周波数でも動作するディジタル回路系は，もしも適切な予防措置がとられなければ，ＭＲＩ処理をひどく劣化させ得る広いスペクトルの電子的ノイズを生成する。・・・
　その他の深刻な問題は，通信の信頼性である。ＭＲＩスクリーン室には，一般には，極度に強いＲＦおよび磁場が存在する。これらの磁場は，データケーブル上に，伝送データに『グリッチ』を生ずる電流を発生し得る。ＭＲＩシステムに使用するのに適する通信ネットワークは，そのような磁場が存在するときにも信頼できるように機能しなければならない。・・・」（第５頁左上欄８行〜第６頁左下欄２０行）
　
（１−ウ）
「［発明が解決しようとする課題］
　しかしながら，これらの現存するシステムは，ＭＲＩスクリーン室の敵対する環境を考慮して設計されていない。データ通信ネットワークをＭＲＩスクリーン室内で満足できるように動作させるために，強いＲＦおよび磁場にさらされたときに，パフォーマンスの劣化を少ししかあるいは全然こうむらないようにしなければならない−−そして，ＭＲＩ画像が収集されている間に理論的に電子的ノイズを全く生成しないようにしなければならない。さらに，適切なＭＲＩデータ通信ネットワークは，多くの異なるタイプの周辺装置を同一のコンピュータに接続することを可能とすべきであり，通信されるべき異なるタイプの周辺装置に関する異なる通信を可能とするために十分な融通性を提供すべきである。」（第７頁左上欄１８行〜同頁右上欄１３行）
　
（１−エ）
「［課題を解決するための手段および作用］
　本発明により提供されるＭＲＩデータ通信ネットワークは，・・・ＭＲＩシステムにおける中速制御およびデータ収集機能を実現するためのシリアルデータバスを提供する。
　本発明の望ましい実施例により提供されるＭＲＩシリアル通信システムの主たる有利な特徴のいくつかは，次の点を含んでいる。
・・・
　・
バスは，同一バス上の混合ケーブルタイプを有する２組の双方向ファイバ光ケーブルあるいは４つのツイストペアケーブルにより伝送される
・・・
　・遠隔ＲＦコイルチューニング，
患者ベツド位置監視
　
（１−オ）
「シリアルバスノード間に用いられるケーブル接続のタイプは，（スクリーン室内への最初の区間は２つの双方向ファイバ光ケーブルを具備することが望ましいけれども）システムの要求に応じて変化させることができる。例えば，一旦スクリーン室内へ入ってしまえば，ノイズ（例えば，ＭＲＩ　ＲＦ磁場コイルからの）が過大とならない限りシールドされたツイストペアケーブルを使用してもよい。」（第９頁右上欄９〜１７行）　
　
（１−カ）
「［実施例］
　第１図は本発明によるシリアルデータ通信システム５０の現時点で望ましい実施例の模式的ブロック図である。
システム５０は，ホストコンピュータ５２，ＤＭＡ（”ｄｉｒｅｃｔ　ｍｅｍｏｒｙ　ａｃｅｓｓ”）ボード５４，シリアルバスコントローラ１００，分配ボックス３００，およびシリアルデータバス３５０を有している。シリアルデータバス３５０は，信号リンク３６０により接続された１個以上のシリアルバスノード４００を有する
　
（１−キ）
「望ましい実施例では，バスホスト５２は，ＭＲＩシステムにおける制御機能（画像収集機能ではなく）を提供するために使用されるＭｉｃｒｏＶａｘ　ＩＩ　３２ビットスーパーマイクロコンピュータである。ホストコンピュータ５２は，標準の在来の『Ｑバス』を通して，望ましい実施例においては，在来のＤＲＶ１１−ＷタイプのＭｉｃｒｏＶａｘ　ＤＭＡボード５４へまたは在来の『ユニバス』を通して在来のＤＲ１１−Ｗ　ＤＭＡボードへ接続される。ホストコンピュータ５２とＤＭＡボードとの間の相互作用は，当業者によく知られている。・・・
　ＤＭＡボード５４への転送およびＤＭＡボード５４からの転送は，ユーザ制御のもとで１６ｂｉｔのパラレルデータの形で行われる。ＤＭＡボード５４は，メインメモリに対して読み出し後書き込み動作が可能であり，この特徴は望ましい実施例においては，単一メモリバッファにて，送信されたデータに代えて受信されたデータを格納するために使用される。ＤＭＡボード５４は，送信され／受信されるべきワードの総数が送受信されると直ちに自動的にホストコンピュータからの割り込みを要求し，ホストコンピュータ５２は，この割り込み要求に応答して受信データを読み込み且つ分析する（また，送信のために付加的な応答メツセージをバッファに格納するかも知れない）。
　ＤＭＡボード５４とシリアルバスコントローラ１００との間のインタフェースは，Ｄｉｇｉｔａｌ　Ｅｑｕｉｐｍｅｎｔ　Ｃｏｒｐｏｒａｔｉｏｎ（ＤＥＣ）社により特定され且つ定義されて，ＤＲ１１−ＷおよびＤＲＶ１１ＷＤＭＡコントローラボードに関連する種々の文献として発行された標準インタフェースである。ＤＭＡボード５４は，シリアルバスコントローラ１００に１６ｂｉｔのパラレル出力（ホストからの）データを，３つの『機能ビット』，（ＤＭＡボードがホストコンピュータ５２のメモリアクセスの取扱いに占有されており，そのためシリアルバスコントローラによるアクセスが不可能である時を示す）ビジー信号，およびシリアルバスコントローラに対してＤＭＡボードがその前に要求された動作を完了しており次に要求されるメモリへのまたはメモリからの転送を行う準備ができていることを示すレディー信号と共に，一度に送る。シリアルバスコントローラ１００は，ＤＭＡボード５４に１６ｂｉｔのパラレル入力（ホストへの）データを，（シリアルバスコントローラの状態を示す）３つの状態ビット，（シリアルバスコントローラにＤＭＡボード操作の状況を制御することを可能とする）種々の制御信号，およびサイクル要求信号（シリアルバスコントローラは，ＤＭＡボードによりサービスを受けることを必要とするときにこのサイクル要求信号を有効とする）と共に送る。」（第９頁左下欄１１行〜第１０頁右上欄１７行）
　
（１−ク）
「＜バス３５０の全体のアーキテクチャ＞
　第２図は，シリアルバス３５０の全体のアーキテクチャの高レベルのブロック図である。ここでのおよび以下の議論のために，『出力』および『入力』の語は，通常，ホスト５２からみたものとする。すなわち，『入力データ』とはバス３５０からホスト５２に入力されるデータを意味し，『出力データ』とはホストからバスへ出力されるデータを意味する。
　第２図は，３個のシリアルバスノード，すなわち，ノード４００ａ，４００ｂおよび４００ｃを有するバス３５０を示している。ノード４００ａは，バス３５０上で最も『上流の』すなわち『最初の』ノードであり，したがってホスト５２に『最も近く』そしてシリアルバスコントローラ１００に直接的に（望ましい実施例では分配ボックス３００を通して）接続されている。ノード４００ｎは，バス３５０上で最も『下流の』ノードであり，したがって『最後の』ノード（ホスト５２から『最も遠い』）である。ノード４００ｂは，ノード４００ａと４００ｎとの間に接続されている。最初のノードと最後のノードとの間のバス３５０上には，実質的にいかなる所望数のシリアルバスノードをも接続し得るが，望ましい実施例では，ノードの総数は，データ伝送効率を理由として１４個に制限される。もしも望むならば最初と最後のノードは同じノードであってもよい。
　シリアルバスコントローラ１００は，シリアルデータ出力シフトレジスタ１０２，シリアルデータ入力シフトレジスタ１０４，およびマスタクロック発生器１１２を有する。各ノード４００は，シリアルデータ出力レジスタ４０２およびシリアルデータ入力レジスタ４０４を有する。
コントローラシリアルデータ出力レジスタ１０２は，バス３５０上のノード４００に伝送するためにホスト５２より発生されたデータを収容し，コントローラシリアルデータ入力レジスタ１０４は，ホストに入力するためにノード４００より発生されたデータを受信するために使用される。コントローラ１００からのシリアルデータ出力ラインは，コントローラシリアルデータ出力レジスタ１０２の出力をノード４００ａの出力シフトレジスタの４０２ａの入力に接続する。出力シフトレジスタ４０２ａの出力は，ノード４００ｂの出力シフトレジスタ４０２ｂの入力に接続され，以後同様にして，最後のノード４００ｎの出力レジスタ４０２ｎの入力は，ノードバス３５０上の最後から２番目の出力レジスタ４０２の出力に接続される。一方，最後のノード４００ｎの出力シフトレジスタ４０２ｎの出力は，いわゆる『ループバック』接続４０５においてそれと同じ最後のノードの入力シフトレジスタ４０４ｎの入力に接続される。最後のノードの入力シフトレジスタ４０４ｎの出力は，『最後から２番目』のノードの入力シフトレジスタ４０４の入力に接続され，以後同様にして，ノード４００ｂの入力シフトレジスタ４０４ｂの出力は，最初のノードの入力シフトレジスタ４０４ａの入力に接続される。最初のノードの入力シフトレジスタ４０４ａの出力は，コントローラ１００の『ＳＥＲＩＡＬ　ＤＡＴＡ　ＩＮ』入力を介してコントローラ入力シフトレジスタ１０４の入力に接続される
　
（１−ケ）
「第２図によれば，すべての出力シフトレジスタ４０２は，実際に，コントローラ１００と各ノード４００ａ〜４００ｎの間に分布される単一の長い出力シフトレジスタを形成すべく，コントローラ出力シフトレジスタ１０２に直列に共に接続されていることがわかる。同様に，すべての入力シフトレジスタ４０４も，コントローラ１００と各ノード４００ａ〜４００ｎの間に分布される単一の長い入力シフトレジスタを形成すべく，コントローラ入力シフトレジスタ１０４に直列に共に接続されている。望ましい実施例において，最後のノード４００ｎにおけるループバック接続によって，出力レジスタ４０２，１０２からなる分布出力シフトレジスタも，入力レジスタ４０４，１０４からなる分布入力シフトレジスタに直列に接続されている。」（第１１頁右上欄３〜１８行）
　
（１−コ）
「ある周辺機器（例えばディスプレイ等）は，ホストコンピュータ５２によりそれらに多数のビットが出力されることを要求し，依然として少ない数のビットのみをホストコンピュータに戻す。
他の周辺機器（例えばＲＦチューニング計測のための反射計のような検出器）は，ホストコンピュータ５２により小数の制御ビットのみがそれらに送信されることを要求するが，
　
（１−サ）
「＜シリアルバスコントローラ１００＞
　望ましい実施例において，
シリアルバスコントローラ１００は，ホストコンピュータ５２の背面に位置するプリント回路基板の形であり
　
（１−シ）
「＜分配ボックス３００＞
　望ましい実施例においては，ノード４００を共に接続し且つ最初のノード４００ａをコントローラ１００へ接続する通信リンク３６０上のシリアルデータ出力およびクロック入力信号は，いくつかのケースでは，２つの信号を分けるのに使用される適切なＴＴＬ／光変換回路系により同一の双方向光ファイバにより伝達される。同様に，シリアルデータ入力およびクロック出力信号は，他の双方向光ファイバにより伝達される。他のケースでは，リンク３６０は，シールドされたツイストペアケーブルにより構成される。望ましい実施例においては，
分配ボックス３００は，コントローラシリアルデータ出力ラインおよびコントローラクロック出力ライン上に存在するＴＴＬレベルシリアルおよびクロック信号を電気信号から光信号へ変換し且つそれら光信号をＭＲＩスクリーン室に入る双方向ファイバ光ケーブルに印加する回路系を含む
分配ボックス３００も，双方向ファイバ光ケーブルを通ってスクリーン室から戻る光シリアルデータ入力およびクロック入力信号をＴＴＬレベルに変換し且つ結果として得られるＴＴＬレベルをシリアルバスコントローラ１００のクロック入力およびシリアル入力入力に印加する付加的な回路系を含む
コントローラ１００とＭＲＩスクリーン室内に位置する最初のノード４００との間のファイバ光ケーブルの使用は，ＭＲＩスクリーン室の外側のシステム５０のどのどの構成要素とＭＲＩスクリーン室の内部のどの構成要素との間にも導電リンクが存在しないことを確実にする
　
（１−ス）
「［発明の効果］
　本発明により提供されるＭＲＩデータ通信ネットワークによれば，１Ｍ　ｂｙｔｅ／ｓｅｃもの高速において低ノイズ動作および低コストについて，理想的な特徴を持って設計され，ＭＲＩシステムにおける中速制御およびデータ収集機能を実現するためのシリアルデータバスを提供することができる。
　本発明によるシステムは，データ通信ネットワークをＭＲＩスクリーン室内で，強いＲＦおよび磁場にさらされたときに，パフォーマンスの劣化をほとんどこうむらないようにすることができる。そして，ＭＲＩ画像が収集されている間に理論的に電子的ノイズを全く生成しないようにすることができる。さらに，このＭＲＩデータ通信ネットワークは，多くの異なるタイプの周辺装置を同一のコンピュータに接続することが可能であり，通信されるべき異なるタイプの周辺装置に関する異なる通信を可能とするために十分な融通性を提供する。」（第１８頁右下欄１８行〜第１９頁左上欄１６行）
　
　以上の記載を総合すると，引用例１には，次の発明が開示されていると認められる。
　
「磁気共鳴イメージングシステムであって，ホストコンピュータ５２，ＤＭＡボード５４，シリアルバスコントローラ１００，分配ボックス３００，および，シリアルデータバス３５０を有し，前記シリアルデータバス３５０は，信号リンク３６０により接続された１個以上のシリアルバスノード４００ａ〜４００ｎを有し，前記信号リンク３６０は，２組の双方向ファイバ光ケーブルあるいは４つのツイストペアケーブルにより構成され，コントローラ１００とＭＲＩスクリーン室内に位置する最初のノード４００との間ではファイバ光ケーブルが使用され，前記分配ボックス３００は，コントローラシリアルデータ出力ラインおよびコントローラクロック出力ライン上に存在するＴＴＬレベルシリアルおよびクロック信号を電気信号から光信号へ変換し且つそれら光信号をＭＲＩスクリーン室に入る双方向ファイバ光ケーブルに印加し，双方向ファイバ光ケーブルを通ってスクリーン室から戻る光シリアルデータ入力およびクロック入力信号をＴＴＬレベルに変換し且つ結果として得られるＴＴＬレベルをシリアルバスコントローラ１００のクロック入力およびシリアル入力に印加する付加的な回路系を含み，ＲＦチューニング計測のための反射計のような検出器を含む周辺機器を前記シリアルデータバス３５０を介して前記ホストコンピュータ５２に接続した，磁気共鳴イメージングシステム。」（以下，「引用発明」という。）　
　
　
第４　当審の判断 
　
１　対比
　本願発明と引用発明とを対比する。
（１）引用発明の「磁気共鳴イメージングシステム」および「ホストコンピュータ５２」は，その構造および機能からみて，それぞれ，本願発明の「電気装置」および「制御計算機（４２）」に相当する。
　
（２）引用発明の「ホストコンピュータ５２」，「ＤＭＡボード５４」，「シリアルバスコントローラ１００」，「分配ボックス３００」および「シリアルバスノード４００ａ〜４００ｎ」は，「磁気共鳴イメージングシステム」を構成している要素であるから，構成要素であるといえる。
　そして，上記摘記事項（１−シ）における「コントローラ１００とＭＲＩスクリーン室内に位置する最初のノード４００との間のファイバ光ケーブルの使用は，ＭＲＩスクリーン室の外側のシステム５０のどのどの構成要素とＭＲＩスクリーン室の内部のどの構成要素との間にも導電リンクが存在しないことを確実にする。」の記載からみて，引用発明の「シリアルバスノード４００ａ〜４００ｎ」のうちの少なくとも１つは，「ＭＲＩスクリーン室」すなわち「高周波シールドルーム」内に位置しているといえ，当該「高周波シールドルーム」内に位置しているシリアルバスノードは，「高周波シールドルーム内に配設された少なくとも１つの，第１の構成要素」であるといえる。また，上記摘記事項（１−シ）における上記記載，上記摘記事項（１−イ）における「データ収集および制御コンピュータは，一般に，それらが発生する広いスペクトルのノイズが信号検出を干渉するのを防止するためこのスクリーン室の外に配置される。」の記載，および，上記摘記事項（１−サ）における「シリアルバスコントローラ１００は，ホストコンピュータ５２の背面に位置するプリント回路基板の形であり，」の記載からみて，引用発明の「ＤＭＡボード５４」および「シリアルバスコントローラ１００」は，「高周波シールドルーム」の外に位置していることが明らかであるから，「高周波シールドルーム外に配設された少なくとも１つの，第２の構成要素」であるといえる。
　また，上記摘記事項（１−キ）および（１−ク）の記載，並びに，第１図の記載からみて，引用発明の「ＤＭＡボード５４」，「シリアルバスコントローラ１００」，「分配ボックス３００」および「シリアルバスノード４００ａ〜４００ｎ」は，「制御線路」を介して「ホストコンピュータ５２」と接続されているといえる。
　そうすると，引用発明の「ホストコンピュータ５２，ＤＭＡボード５４，シリアルバスコントローラ１００，分配ボックス３００，および，シリアルデータバス３５０を有し，前記シリアルデータバス３５０は，信号リンク３６０により接続された１個以上のシリアルバスノード４００ａ〜４００ｎを有」する点と，本願発明の「高周波シールドルーム（２）内に配設された少なくとも１つの，第１の構成要素（１４，１８，２０，２１）と，前記高周波シールドルーム（２）外に配設された少なくとも１つの，第２の構成要素（２４，３０）と，制御線路を介して構成要素（１４，１８，２０，２１，２４，３０）と接続されている制御計算機（４２）とを有している」点とは，「高周波シールドルーム内に配設された少なくとも１つの，第１の構成要素と，前記高周波シールドルーム外に配設された少なくとも１つの，第２の構成要素と，制御線路を介して構成要素と接続されている制御計算機とを有している」点で共通している。
　
（３）引用発明の「分配ボックス３００」は，コントローラ１００からの電気信号をＭＲＩ室に入る光信号に変換し，ＭＲＩスクリーン室から戻る光信号をコントローラ１００に入る電気信号に変換しているから，「電気−光インターフェース」であるといえる。そして，「分配ボックス３００」と「コントローラ１００」の間の制御線路は電気バス線路であって，「分配ボックス３００」から「ＭＲＩスクリーン室」に向けて配線された制御線路は光バス線路であるといえるから，「分配ボックス３００」から上流側，すなわち，シリアルバスコントローラ１００側の制御線路は，「電気バス線路を有する第１のバス部」ということができ，「分配ボックス３００」から下流側の制御線路は，「光バス線路を有する第２のバス部」ということができる。また，上記「電気バス線路を有する第１のバス部」が，「分配ボックス３００」すなわち「電気−光インターフェース」を介して，上記「光バス線路を有する第２のバス部」と接続されていることは自明である。
　そうすると，引用発明の「前記分配ボックス３００は，コントローラシリアルデータ出力ラインおよびコントローラクロック出力ライン上に存在するＴＴＬレベルシリアルおよびクロック信号を電気信号から光信号へ変換し且つそれら光信号をＭＲＩスクリーン室に入る双方向ファイバ光ケーブルに印加し，双方向ファイバ光ケーブルを通ってスクリーン室から戻る光シリアルデータ入力およびクロック入力信号をＴＴＬレベルに変換し且つ結果として得られるＴＴＬレベルをシリアルバスコントローラ１００のクロック入力およびシリアル入力に印加する付加的な回路系を含む」点と，本願発明の「制御線路は直列センサ／アクタバスとして構成されており，前記センサ／アクタバスは，電気バス線路を有する第１のバス部（４４，４４Ａ，４４Ｂ）と光バス線路を有する第２のバス部（５２）を有しており，前記光バス線路（５２）は，高周波シールドルーム（２）内に接続されていて，該高周波シールドルーム（２）内で，第１の構成要素（１４，１８，２０，２１）と接続されており，前記第１のバス部（４４Ａ）は，電気−光インターフェース（５４）を介して第２のバス部（５２）と接続されて」いる点とは，「制御線路は，電気バス線路を有する第１のバス部と光バス線路を有する第２のバス部を有しており，前記第１のバス部は，電気−光インターフェースを介して第２のバス部と接続されている」点で共通している。
　
（４）引用発明では，「コントローラ１００とＭＲＩスクリーン室内に位置する最初のノード４００との間ではファイバ光ケーブルが使用され」ているのであるから，引用発明の「ファイバ光ケーブル」すなわち「光バス線路」は，「ＭＲＩスクリーン室」内，すなわち，「高周波シールドルーム」内に接続されているといえる。
　
（５）本願発明の「センサ／アクタバス」に関し，コンピュータ用語としてドイツ語の「aktor」すなわち「アクタ」は，「アクチュエータ」を意味するものであるから，「センサ／アクタバス」は，「センサ／アクチュエータバス」と同義である。他方，引用発明では，ホストコンピュータ５２により制御する周辺機器として，「検出器」すなわち「センサ」が含まれているといえるから，引用発明の制御線路は，「センサへの接続を含むバス」であるということができる。
　そうすると，本願発明の「制御線路は直列センサ／アクタバスとして構成され」ている点と，引用発明の「ＲＦチューニング計測のための反射計のような検出器を含む周辺機器を前記シリアルデータバス３５０を介して前記ホストコンピュータ５２に接続した」点とは，「制御線路はセンサへの接続を含むバスとして構成され」ている点で共通している。
　
　してみると，両者は， 
　
（一致点）
「電気装置であって，高周波シールドルーム内に配設された少なくとも１つの，第１の構成要素と，前記高周波シールドルーム外に配設された少なくとも１つの，第２の構成要素と，制御線路を介して構成要素と接続されている制御計算機とを有している電気装置において，制御線路はセンサへの接続を含むバスとして構成されており，前記バスは，電気バス線路を有する第１のバス部と光バス線路を有する第２のバス部を有しており，前記光バス線路は，高周波シールドルーム内に接続されていて，前記第１のバス部は，電気−光インターフェースを介して第２のバス部と接続されている電気装置。」
の点で一致し，以下の点で相違する。
　
（相違点１）センサへの接続を含むバスが，本願発明では，アクチュエータへの接続を含むバス，すなわち，「センサ／アクタバス」であるのに対し，引用発明では，アクチュエータへの接続を含むバスでない点。
　
（相違点２）本願発明では，「制御線路は」「直列」「バスとして構成されており」，「前記光バス線路（５２）は，該高周波シールドルーム（２）内で，第１の構成要素（１４，１８，２０，２１）と接続されており」，「前記第１のバス部（４４，４４Ａ，４４Ｂ）は，前記電気バス線路と共に，前記第２のバス部（５２）は，光バス線路と共に共通のバスである」のに対し，引用発明はそのような構成でない点。
　
２　相違点１について
　上記摘記事項（１−エ）における「・遠隔ＲＦコイルチューニング，患者ベツド位置監視，呼吸停止画像トリガリング，および自動システムハードウェア故障検出，診断およびロギング」の記載からみて，引用発明は，患者ベッドの位置監視を行うことを含んでいるといえる。そして，患者ベッドの位置監視を行うシステムにおいては，ベッド駆動のために，「油圧シリンダ」すなわち「アクチュエータ」を設け，それを中央制御コンピュータにより制御することが，本願優先日前に広く知られた周知の技術的事項である。必要であれば，例えば，特開平８−２２４２３５号公報段落【００２２】，【００２９】および【図２】，特開平８−２８０６４８号公報段落【００３２】，【００３３】および【図１】，および，特開昭６３−２１６５５４号公報第２頁左下欄１〜１６行および第１図を参照。
　そうすると，引用発明において，ホストコンピュータ５２により制御する周辺機器として，「センサ」に加えて「アクチュエータ」を設けるようにすること，すなわち，センサへの接続を含むバスを「センサ／アクタバス」とすることは，当業者であれば，何ら困難性はなく，容易に想到し得る事項であるといえる。　
　
３　相違点２について
　まず，本願発明では「制御線路は」「直列」「バスとして構成されており」，「前記第１のバス部（４４，４４Ａ，４４Ｂ）は，前記電気バス線路と共に，前記第２のバス部（５２）は，光バス線路と共に共通のバスである」点について検討する。
　上記摘記事項（１−ク）における「コントローラシリアルデータ出力レジスタ１０２は，バス３５０上のノード４００に伝送するためにホスト５２より発生されたデータを収容し，コントローラシリアルデータ入力レジスタ１０４は，ホストに入力するためにノード４００より発生されたデータを受信するために使用される。コントローラ１００からのシリアルデータ出力ラインは，コントローラシリアルデータ出力レジスタ１０２の出力をノード４００ａの出力シフトレジスタの４０２ａの入力に接続する。出力シフトレジスタ４０２ａの出力は，ノード４００ｂの出力シフトレジスタ４０２ｂの入力に接続され，以後同様にして，最後のノード４００ｎの出力レジスタ４０２ｎの入力は，ノードバス３５０上の最後から２番目の出力レジスタ４０２の出力に接続される。一方，最後のノード４００ｎの出力シフトレジスタ４０２ｎの出力は，いわゆる『ループバック』接続４０５においてそれと同じ最後のノードの入力シフトレジスタ４０４ｎの入力に接続される。最後のノードの入力シフトレジスタ４０４ｎの出力は，『最後から２番目』のノードの入力シフトレジスタ４０４の入力に接続され，以後同様にして，ノード４００ｂの入力シフトレジスタ４０４ｂの出力は，最初のノードの入力シフトレジスタ４０４ａの入力に接続される。最初のノードの入力シフトレジスタ４０４ａの出力は，コントローラ１００の『ＳＥＲＩＡＬ　ＤＡＴＡ　ＩＮ』入力を介してコントローラ入力シフトレジスタ１０４の入力に接続される。」の記載からみて，引用発明において，「分配ボックス３００」から下流側の制御線路，すなわち，「光バス線路を有する第２のバス部」は，シリアルデータを送る「直列バス」であって，「シリアルバスノード４００ａ〜４００ｎ」にとっての「共通のバス」であるから，「共通の直列バス」であるといえる。
　また，医療用の撮像システムにおいて，システムを構成する構成要素と，ホストコンピュータとを接続する制御線路として，共通の直列バスを使用することは，例えば，特開昭６４−３５２４９号公報第１頁右下欄１９行〜第２頁左上欄２行，特開昭６０−８５７３３号公報第４頁右上欄１行〜第５頁左上欄１７行および第５図，および，特開平１−２３２９４３号公報第４頁左上欄７〜１３行および第１図においても記載されているように，本願優先日前に周知である。
　そして，引用発明も，医療用の撮像システムに関する発明であるから，引用発明に，当該技術分野における上記周知技術を適用し，「光バス線路を有する第２のバス部」に加えて，「電気バス線路を有する第１のバス部」についても「共通の直列バス」とすること，すなわち，「制御線路は直列バスとして構成されており，第１のバス部は，電気バス線路と共に，第２のバス部は，光バス線路と共に共通のバスである」ようにすることは，当業者であれば，容易に想到し得る事項であるといえる。
　
　次に，本願発明では「前記光バス線路（５２）は，該高周波シールドルーム（２）内で，第１の構成要素（１４，１８，２０，２１）と接続されて」いる点について検討する。
　上記摘記事項（１−イ）には「その他の深刻な問題は，通信の信頼性である。ＭＲＩスクリーン室には，一般には，極度に強いＲＦおよび磁場が存在する。これらの磁場は，データケーブル上に，伝送データに『グリッチ』を生ずる電流を発生し得る。ＭＲＩシステムに使用するのに適する通信ネットワークは，そのような磁場が存在するときにも信頼できるように機能しなければならない。」と記載され，上記（１−オ）には「上記ノイズ（例えば，ＭＲＩ　ＲＦ磁場コイルからの）が過大とならない限りシールドされたツイストペアケーブルを使用してもよい。」と記載されていることからみて，引用発明では，一般には，極度に強いＲＦおよび磁場が存在するＭＲＩスクリーン室において，データ伝送ケーブルが，電磁ノイズを拾わないようにすることを，一つの技術的課題としているといえる。
　そして，極度に強いＲＦおよび磁場の存在下において，電磁ノイズを出来る限り拾わないようにするという観点からは，電気ケーブルよりも光ファイバーケーブルを使用するのが望ましいことが，本願優先日前における技術常識である。必要であれば，特開昭６１−１５５８４６号公報第２頁右上欄７〜１４行および第４頁左上欄４〜７行の記載，および，特開平１−２３８８３２号第６頁左上欄１２〜１８行の記載を参照。
　そうすると，引用発明の「ＭＲＩスクリーン室」内，すなわち，「高周波シールドルーム」内において，電磁ノイズを出来る限り拾わないようにするために，「信号リンク３６０」として「ファイバ光ケーブル」すなわち「光バス線路」を使用すること，すなわち，「光バス線路は，高周波シールドルーム内で，第１の構成要素と接続され」るようにすることは，当業者が適宜なし得る設計的事項であるといえる。
　
　そして，本願明細書に記載された本願発明によってもたらされる効果は，引用例１に記載の事項，および，周知の技術的事項から，当業者であれば予測することができる程度のものである。  
　
４　まとめ  
　上記のとおり，本願発明は，引用発明および周知技術に基づいて，当業者が容易に発明をすることができたものである。 
　
　
第５　むすび　 
　
　以上のとおり，本願発明は，引用発明および周知技術に基づいて当業者が容易に発明をすることができたものであるから，特許法第２９条第２項の規定により特許を受けることができない。　
　
　そうすると，他の請求項について言及するまでもなく，本願は，拒絶すべきものである。
　
　よって，結論のとおり審決する。